(57)【要約】【課題】備付け、取外し等に重労働が必要にならない急結剤補給設備等の粉体補給設備を提供する。【解決手段】粉体Ｆの投入口２１を有する補給タンク２０と、この補給タンク２０内の粉体Ｆが送り込まれる搬送流路３０と、この搬送流路３０内に搬送エアＡ１を吹き込むコンプレッサー４０とを備え、搬送流路３０内に送り込まれた粉体Ｆ１が搬送エアＡ１によって粉体タンク１００内へ搬送される構成とする。また、粉体タンク１００に固定される蓋装置５０と、この蓋装置５０に形成された排気口５３と連通する返送流路６０と、この返送流路６０内を通った排気エアＡ２が導かれる集塵手段７０とを備え、排気エアＡ２とともに排気口５３から排出された排出粉体Ｆ２が集塵手段７０まで導かれ、この集塵手段７０で集塵された排出粉体Ｆ２が補給タンク２０内に戻される構成とする。【選択図】図１
2010174496.tif 000002
【特許請求の範囲】
【請求項１】
粉体の補給口を有する粉体タンク内に、粉体を補給する設備であり、
前記粉体の投入口を有する補給タンクと、この補給タンク内の粉体が送り込まれる搬送流路と、この搬送流路内に搬送エアを吹き込むコンプレッサー又はブロワと、が備えられ、
前記搬送流路内に送り込まれた粉体が、前記搬送エアによって前記粉体タンク内へ搬送される構成とされた、粉体補給設備であって、
前記補給口を覆うように前記粉体タンクに固定される蓋装置と、この蓋装置に形成された排気口と連通する返送流路と、この返送流路内を通った排気エアが導かれる集塵手段と、が備えられ、
前記排気エアとともに前記排気口から排出された排出粉体が前記集塵手段まで導かれ、この集塵手段で集塵された排出粉体が前記補給タンク内に戻される、構成とされている、
ことを特徴とする粉体補給設備。
【請求項２】
前記補給タンクの底部に定量フィーダーが備えられ、この定量フィーダーによって前記補給タンク内の粉体が前記搬送流路内に送り込まれる、構成とされている、
請求項１記載の粉体補給設備。
【請求項３】
前記集塵手段は、
前記排気エア及び前記排出粉体を受け入れる捕捉容器と、この捕捉容器内に配置され、前記排気エアは通し、かつ前記排出粉体は通さないフィルターと、を有し、このフィルターを通った排気エアは排気され、他方、このフィルターを通らない前記排出粉体は前記捕捉容器内に留まり、この捕捉容器内に留まった排出粉体は、当該捕捉容器に形成された排出口を通して前記補給タンク内に落下可能な構成とされている、
請求項１又は請求項２記載の粉体補給設備。
【請求項４】
前記排出口は前記補給タンク内に位置し、この補給タンク内には前記排出口を開閉可能な開閉体が備えられ、この開閉体は前記コンプレッサー又は前記ブロワからの押上エアによって押し上げられると前記排出口を閉じる構成とされている、
請求項３記載の粉体補給設備。
【請求項５】
前記コンプレッサー又は前記ブロワからの除塵エアを前記補給タンク内に導く除塵流路が備えられ、
前記投入口から補給タンク内に粉体を投入するにあたり、
前記補給タンク内に除塵エアを吹き込んで、当該補給タンク内のエアとともにこのエア中の粉体が、前記排出口を通して前記捕捉容器内に導かれ、前記補給タンク内から導かれたエアは前記フィルターを通して排気され、他方、このフィルターを通らない前記補給タンク内から導かれた粉体は前記捕捉容器内に留まる、構成とされている、
請求項３又は請求項４記載の粉体補給設備。
【請求項６】
前記蓋装置は、
先端部開口が前記粉体タンク内に位置し、かつ軸心が当該粉体タンクの軸心と平行となるように配置される前記搬送流路と連なる内管と、
この内管と同軸的に配置され、かつ周壁に前記排気口が形成された外管と、を有し、
前記補給タンク内からの粉体及び前記搬送エアが前記内管の先端部開口から前記粉体タンク内に補給され、当該粉体タンク内のエアは前記外管を通して前記排気口から排気される構成とされている、
請求項１〜５のいずれか１項に記載の粉体補給設備。
【請求項７】
急結剤の補給口を有する急結剤タンク内に、急結剤を補給する設備であり、
前記急結剤の投入口を有する補給タンクと、この補給タンク内の急結剤が送り込まれる搬送流路と、が備えられ、
この搬送流路内に送り込まれた急結剤が、搬送エアによって前記急結剤タンク内へ搬送される構成とされた、急結剤補給設備であって、
前記補給口を覆うように前記急結剤タンクに固定される蓋装置と、この蓋装置に形成された排気口と連通する返送流路と、この返送流路を通った排気エアが導かれる集塵手段と、前記急結剤タンクに併設されたコンプレッサーに前記搬送流路を接続する接続手段と、が備えられ、
前記コンプレッサーによって前記搬送流路内に前記搬送エアが吹き込まれ、
前記排気エアとともに前記排気口から排出された排出急結剤が前記集塵手段まで導かれ、この集塵手段で集塵された排出急結剤が前記補給タンク内に戻される、構成とされている、
ことを特徴とする急結剤補給設備。
【発明の詳細な説明】
【技術分野】
【０００１】
本発明は、急結剤等の粉体を収容する粉体タンク内に、粉体を補給する設備に関するものである。
【背景技術】
【０００２】
例えば、ＮＡＴＭ工法などの、トンネル掘削等において、地山の崩落を防ぐ目的でモルタルやコンクリートの吹き付けを行う場合、粉体の急結剤を、モルタルやコンクリートに添加する。この急結剤の添加量は、吹き付けたモルタルやコンクリートのリバウンド量等の現場状況から適宜決定される。急結剤は、通常、急結剤タンク内に収容されており、この急結剤タンク内の急結剤は、従来、人力で補給されていたが、近年では、急結剤補給設備を用いた補給が検討されている。
【０００３】
現在、この急結剤補給設備としては、急結剤タンクに補給する急結剤を収容する補給タンクと、この補給タンク内に収容された急結剤が送り込まれる急結剤供給管等を構成要素とする搬送流路と、この搬送流路に搬送エアを吹き込むブロワと、が備えられたものが提案されている（例えば、特許文献１、特許文献２参照。）。この急結剤補給設備においては、フレキシブルコンテナなどから補給タンク内に投入された急結剤が搬送流路内に送り込まれ、この搬送流路内に送り込まれた急結剤がブロワから吹き込まれた搬送エアによって急結剤タンク内へ搬送されて、当該急結剤タンク内に補給される。この急結剤タンクにおいては、急結剤の搬送に利用された搬送エアが、当該急結剤タンクに固定されたエア排気部に備わるフィルターを介して排気され、他方、急結剤はいったん急結剤タンク内に収容された後、例えば、エアによって、吹付け装置などへ搬送される。
【０００４】
この既に提案されている急結剤補給設備によると、急結剤タンク内に人力で急結剤を補給する必要がなくなり、大変有用である。しかしながら、この既に提案されている急結剤補給設備は、更なる改良が求められている。
すなわち、急結剤を補給する急結剤タンクは、既存の設備であり、通常３〜４ｍ程度の高さを有する。また、フィルターを有するエア排気部は、通常６０〜７０ｋｇ程度の重さを有し、急結剤タンクの天部に載せられたうえで固定される。したがって、既に提案されている急結剤補給設備によると、６０〜７０ｋｇもの重さを有するエア排気部を高さ３〜４ｍ程度にまで持ち上げる必要があり、備付け、取外し等に大変な重労働が必要になる。また、粉体が急結剤以外である場合においては、粉体タンクの高さはさまざまであり得るが、６０〜７０ｋｇもの重さを有するエア排気部を粉体タンクの天部まで持ち上げる必要はあり、備付け、取外し等に大変な重労働が必要になるのは、同様である。
【先行技術文献】
【特許文献】
【０００５】
【特許文献１】特開２００６−１０４８２６号公報
【特許文献２】特開２００６−１０４８２７号公報
【発明の概要】
【発明が解決しようとする課題】
【０００６】
本発明が解決しようとする主たる課題は、備付け、取外し等に重労働が必要にならない、粉体補給設備及び急結剤補給設備を提供することにある。
【課題を解決するための手段】
【０００７】
この課題を解決した本発明は、次のとおりである。
〔請求項１記載の発明〕
粉体の補給口を有する粉体タンク内に、粉体を補給する設備であり、
前記粉体の投入口を有する補給タンクと、この補給タンク内の粉体が送り込まれる搬送流路と、この搬送流路内に搬送エアを吹き込むコンプレッサー又はブロワと、が備えられ、
前記搬送流路内に送り込まれた粉体が、前記搬送エアによって前記粉体タンク内へ搬送される構成とされた、粉体補給設備であって、
前記補給口を覆うように前記粉体タンクに固定される蓋装置と、この蓋装置に形成された排気口と連通する返送流路と、この返送流路内を通った排気エアが導かれる集塵手段と、が備えられ、
前記排気エアとともに前記排気口から排出された排出粉体が前記集塵手段まで導かれ、この集塵手段で集塵された排出粉体が前記補給タンク内に戻される、構成とされている、
ことを特徴とする粉体補給設備。
【０００８】
〔請求項２記載の発明〕
前記補給タンクの底部に定量フィーダーが備えられ、この定量フィーダーによって前記補給タンク内の粉体が前記搬送流路内に送り込まれる、構成とされている、
請求項１記載の粉体補給設備。
【０００９】
〔請求項３記載の発明〕
前記集塵手段は、
前記排気エア及び前記排出粉体を受け入れる捕捉容器と、この捕捉容器内に配置され、前記排気エアは通し、かつ前記排出粉体は通さないフィルターと、を有し、このフィルターを通った排気エアは排気され、他方、このフィルターを通らない前記排出粉体は前記捕捉容器内に留まり、この捕捉容器内に留まった排出粉体は、当該捕捉容器に形成された排出口を通して前記補給タンク内に落下可能な構成とされている、
請求項１又は請求項２記載の粉体補給設備。
【００１０】
〔請求項４記載の発明〕
前記排出口は前記補給タンク内に位置し、この補給タンク内には前記排出口を開閉可能な開閉体が備えられ、この開閉体は前記コンプレッサー又は前記ブロワからの押上エアによって押し上げられると前記排出口を閉じる構成とされている、
請求項３記載の粉体補給設備。
【００１１】
〔請求項５記載の発明〕
前記コンプレッサー又は前記ブロワからの除塵エアを前記補給タンク内に導く除塵流路が備えられ、
前記投入口から補給タンク内に粉体を投入するにあたり、
前記補給タンク内に除塵エアを吹き込んで、当該補給タンク内のエアとともにこのエア中の粉体が、前記排出口を通して前記捕捉容器内に導かれ、前記補給タンク内から導かれたエアは前記フィルターを通して排気され、他方、このフィルターを通らない前記補給タンク内から導かれた粉体は前記捕捉容器内に留まる、構成とされている、
請求項３又は請求項４記載の粉体補給設備。
【００１２】
〔請求項６記載の発明〕
前記蓋装置は、
先端部開口が前記粉体タンク内に位置し、かつ軸心が当該粉体タンクの軸心と平行となるように配置される前記搬送流路と連なる内管と、
この内管と同軸的に配置され、かつ周壁に前記排気口が形成された外管と、を有し、
前記補給タンク内からの粉体及び前記搬送エアが前記内管の先端部開口から前記粉体タンク内に補給され、当該粉体タンク内のエアは前記外管を通して前記排気口から排気される構成とされている、
請求項１〜５のいずれか１項に記載の粉体補給設備。
【００１３】
〔請求項７記載の発明〕
急結剤の補給口を有する急結剤タンク内に、急結剤を補給する設備であり、
前記急結剤の投入口を有する補給タンクと、この補給タンク内の急結剤が送り込まれる搬送流路と、が備えられ、
この搬送流路内に送り込まれた急結剤が、搬送エアによって前記急結剤タンク内へ搬送される構成とされた、急結剤補給設備であって、
前記補給口を覆うように前記急結剤タンクに固定される蓋装置と、この蓋装置に形成された排気口と連通する返送流路と、この返送流路を通った排気エアが導かれる集塵手段と、前記急結剤タンクに併設されたコンプレッサーに前記搬送流路を接続する接続手段と、が備えられ、
前記コンプレッサーによって前記搬送流路内に前記搬送エアが吹き込まれ、
前記排気エアとともに前記排気口から排出された排出急結剤が前記集塵手段まで導かれ、この集塵手段で集塵された排出急結剤が前記補給タンク内に戻される、構成とされている、
ことを特徴とする急結剤補給設備。
【発明の効果】
【００１４】
本発明によると、備付け、取外し等に重労働が必要にならない粉体補給設備及び急結剤補給設備となる。
【図面の簡単な説明】
【００１５】
【図１】粉体補給設備の設備フロー図である。
【図２】図１のＩＩ−ＩＩ線相当部分の模式断面図である。
【図３】粉体除塵構造の別の形態例である。
【発明を実施するための形態】
【００１６】
次に、本発明の実施の形態を説明する。
図１に示すように、本形態の粉体補給設備１０は、急結剤や増粘材、凝集剤、耐火吹付材等の粉体Ｆを、粉体タンク１００内に補給する設備である。この粉体タンク１００は、例えばコンクリートやモルタルなどの吹付け材料の吹付け装置に隣接して、あるいは当該吹付け装置の一部としてあらかじめ設置された既存のタンクである。
【００１７】
この粉体タンク１００内の粉体Ｆは、この粉体タンク１００内から、例えば圧縮エアなどによって送り出された後に、吹付け材料に添加されるなどしたうえで、トンネル内壁面や法面、炉内壁、防火壁、鉄骨等の各種吹付け対象面に吹き付けられるなどする。
【００１８】
なお、粉体Ｆが急結剤である場合、すなわち、粉体タンク１００が急結剤タンクである場合は、通常、この急結剤タンク（１００）にコンプレッサーが併設されており、このコンプレッサーからの圧縮エアによって、急結剤タンク（１００）内の急結剤（Ｆ）は、送り出される。
【００１９】
粉体タンク１００は、その形状が特に限定されるものではなく、例えば、図示例のように、上部側は円筒状で、かつ下部側は下方に行くに従って先細となる略円錐形状の場合などがある。ただし、粉体タンク１００は、天面に図示しない蓋材などによって開閉することができる粉体Ｆの補給口１０１が備わる。フレキシブルコンテナなどに収容された粉体Ｆを、この補給口１０１から投入し、もって粉体タンク１００内に粉体Ｆを補給することもできる。しかしながら、このような手作業（人力）による補給は、投入が重労働であり、また、粉体Ｆの粉塵が舞うため、作業効率が悪く、安全性が低い。そこで、作業を容易化、安全化、迅速化するなどの目的で、本形態の粉体補給設備１０が用いられる。
【００２０】
本形態の粉体補給設備１０は、粉体Ｆを収容する補給タンク２０と、この補給タンク２０内に収容された粉体Ｆが送り込まれる金属製の管や可撓性のホースなどからなる搬送流路３０と、この搬送流路３０内に搬送エアＡ１を吹き込むコンプレッサー又はブロワ、図示例ではコンプレッサー４０と、が備えられている。
【００２１】
ただし、粉体Ｆが急結剤である場合、すなわち、粉体タンク１００が急結剤タンクである場合において、当該急結剤タンク（１００）にコンプレッサーが併設されている場合は、コンプレッサー４０は備えずに、併設されているコンプレッサーに搬送流路３０を接続するための図示しないホースバンド、カプラ、ヴィクトリックジョイント等の接続手段を備え、当該併設されているコンプレッサーによって搬送流路３０内に搬送エアＡ１が吹き込まれようにするのが好ましい。併設されているコンプレッサーには、圧送する急結剤が吸湿して固まることのないよう、通常、圧縮エアを乾燥するためのドライヤーが備わっており、また、そもそも併設されているコンプレッサーは、急結剤の圧送に既に利用されているものであるため、その信頼性が高い。したがって、併設されているコンプレッサーを利用すると、急結剤補給（搬送）の信頼性・安定性が増し、また、別途、コンプレッサーを備える必要がなく、設備コスト、設備面積等の点で優れる。
【００２２】
一方、補給タンク２０は、粉体タンク１００と同様に、その形状が特に限定されるものではなく、例えば、図示例のように、上部側は円筒状で、かつ下部側は下方に行くに従って先細となる略円錐形状とすることができる。また、この補給タンク２０の天面２０ａには、粉体Ｆの投入口２１が備えられ、この投入口２１からフレキシブルコンテナなどに収容された粉体Ｆを補給タンク２０内に投入することができる。投入口２１は、補給タンク２０内に収容された粉体Ｆが湿気を帯びるのを防ぎ、あるいは粉体Ｆが投入口２１から粉塵として漏れるのを防ぐために、通常、蓋材２１Ａなどによって開閉することができるようにする。
【００２３】
本形態において、補給タンク２０の容量は、特に限定されず、粉体タンク１００の容量やコンプレッサー４０の性能、設置許容面積などを考慮して、適宜設計することができる。例えば、粉体タンク１００の容量が０．２〜０．４ｍ3である場合においては、補給タンク２０の容量を１．２〜２．４ｍ3とし、粉体Ｆを１〜２ｔ（トン）収容できるようにすることができる。
【００２４】
本形態においては、補給タンク２０の底部に、撹拌翼２２が備えられている。この撹拌翼２２は、補給タンク２０の中心軸Ｃ１回りに回転して、補給タンク２０の底部に収容された粉体Ｆを高速撹拌する。この高速撹拌によって、粉体Ｆが、例えば、急結剤などのように吸湿性が高いものであっても、補給タンク２０内においてフロックやブリッジ、クリンカボール（固結ボール）などを形成するおそれがなくなる。この撹拌翼２２は、後述するエアレーションなどともに設置することも、エアレーションなどに換えて設置することも、省略することもできる。
【００２５】
粉体Ｆの撹拌は、例えば、エアレーションなどによることもできる。このエアレーションの具体的な方法は特に限定されず、図示例では、コンプレッサー４０のエア吹出し口に図示しない逆止弁などを介して接続された搬送基路３３から分岐する分岐路３５を通して、補給タンク２０内に圧縮エアが吹き込まれるようになっている。
【００２６】
補給タンク２０に対して分岐路３５をどのように接続するかは、特に限定されない。本形態では、図１及び図２に示すように、分岐路３５の先端部が上下２段に分岐しており、下段の分岐路３５Ａが、粉体Ｆの送出し口３１Ａが形成されている側（図示例では、紙面右側。）とは反対側（図示例では、紙面左側。）において、補給タンク２０に接続されている。他方、上段の分岐路は、更に４つの分岐路３５Ｂ，３５Ｃ，３５Ｄ，３５Ｅに分岐しており、これらの分岐路３５Ｂ〜３５Ｅが、等間隔で４方向から補給タンク２０に接続されている。
【００２７】
この形態において、補給タンク２０内の粉体Ｆは、上段の分岐路３５Ｂ〜３５Ｅから吹き込まれた圧縮エアによってブリッジ等を形成するのを防止され、円滑に補給タンク２０内を底部に向かって滑り落ちる。
【００２８】
また、補給タンク２０内の粉体Ｆは、通常、粉体Ｆの送出し口３１Ａが形成されている側とは反対側に偏った堆積をすることになり、この偏った堆積をした粉体Ｆが押し固められてフロック等を形成するおそれがある。しかしながら、本形態においては、下段の分岐路３５Ａから吹き込まれる圧縮エアによって、当該堆積した粉体Ｆは、送出し口３１Ａ側に吹かれるため、フロック等を形成するおそれがない。
【００２９】
下段の分岐路３５Ａ及び上段の分岐路３５Ｂ〜３５Ｅを、上下方向に関していかなる位置に配置するかは、特に限定されず、例えば、粉体Ｆの収容量、粉体Ｆの性質などに基づいて、適宜決定することができる。
【００３０】
以上のほか、ブリッジ等を防止するためには、例えば、補給タンク２０にハンマリング手段などを備えることもできる。
【００３１】
本形態においては、補給タンク２０の底部にロータリーフィーダー等の定量フィーダー２３が備えられている。この定量フィーダー２３によって粉体Ｆを高速撹拌するとともに、定量切出しすることができる。この定量切出しによって、補給タンク２０内の粉体Ｆは、搬送流路３０内に送り込まれる。この搬送流路３０内に送り込まれる粉体は、符号Ｆ１で示す。
【００３２】
ここで、前述した特許文献１や特許文献２で提案されている急結剤補給設備においては、補給タンク（２０）内に搬送流路（３０）の構成要素である急結剤供給管が備えられており、この急結剤供給管内に補給タンク（２０）の底部に収容された粉体（Ｆ）が送り込まれる構成となっている。また、当該設備においては、粉体（Ｆ）の送込みは、補給タンク（２０）の底部から吹き込まれたエア等が、急結剤供給管内に吹き込まれるのにともなって行われる。
【００３３】
しかしながら、この既に提案されている形態によると、例えば、粉体（Ｆ）のクリンカボール（固結ボール）が形成された場合には、このクリンカボールによって急結剤供給管の粉体（Ｆ）が送り込まれる入口（開口）が塞がれてしまう可能性がある。当該入口が塞がれると、補給タンク（２０）内の粉体（Ｆ）が粉体タンク１００内へ搬送されなくなる。
【００３４】
これに対して、本形態のように、定量フィーダー２３によって補給タンク２０内の粉体Ｆが搬送流路３０内に送り込まれるようにした場合、例えば、定量フィーダー２３としてロータリーフィーダーを使用した場合は、補給タンク２０内の粉体Ｆは、ロータリーフィーダーの各羽根の間に収容されて、有形的に撹拌（なお、エアレーション等のエアによる撹拌を無形的な撹拌という。）されるため、クリンカボール等による搬送不良が生じるおそれがなく、安定的かつ連続的な送出し、搬送が行われる。
【００３５】
以上のようにして搬送流路３０内に送り込まれた粉体Ｆ１は、コンプレッサー４０から吹き込まれた搬送エアＡ１によって粉体タンク１００内へ搬送される。ここで、搬送流路３０の構成は、特に限定されず、本形態では、コンプレッサー４０に接続された搬送基路３３と、この搬送基路３３に対して順に連通された搬送連通路３６、管体３１及びホース３２と、で構成されている。
【００３６】
搬送基路３３には、減圧弁３２Ａ及び圧力計３２Ｂが備えられており、この圧力計３２Ｂの後流において前述分岐路３５が分岐し、また、この分岐点３５の後流において搬送連通路３６が連通する。減圧弁３２Ａは、例えば５００〜１０００ｋＰａの圧力でコンプレッサー４０から吹き出された搬送エアＡ１の圧力を、例えば４０〜５０ｋＰａまで減圧する。
【００３７】
本形態においては、搬送基路３３に対して、分岐路３５、搬送連通路３６の順に連通されているが、搬送連通路３６、分岐路３５の順に連通される形態とすることもできる。
【００３８】
また、搬送流路３０は、粉体Ｆ１が送り込まれる部分である管体３１を金属製とし、この管体３１の先端側（粉体タンク１００側）において連通されるホース３２を例えばＰＶＣ製、ゴム製等の可撓性とし、このホース３２の先端部を次に説明する蓋装置５０の内管５１と連通させると好適である。この形態によると、ホース３２を適宜撓ませるなどして補給タンク２０から粉体タンク１００までの距離を調節することができる。ホース３２の長さは、特に限定されず、例えば５〜２０ｍとすることができる。
【００３９】
本形態の粉体補給設備１０は、補給口１０１を覆うように粉体タンク１００に固定される蓋装置５０を有する。この蓋装置５０は、前述した補給口１０１を開閉するための蓋材に換えて、粉体タンク１００に固定することができる。
【００４０】
この蓋装置５０には、排気口５３が形成されており、この排気口５３と連通する管や可撓性のホースなどからなる返送流路６０と、この返送流路６０内を通った排気エアＡ２が導かれる集塵手段７０とが、本形態の粉体補給設備１０には、備えられている。返送流路６０を構成する可撓性のホースとしては、例えば、前述した搬送流路３０を構成する可撓性のホース３２と同様のものを使用することができ、これにより粉体タンク１００から集塵手段７０までの距離を調節することができる。
【００４１】
本形態において、排気エアＡ２とともに排気口５３から排出された排出粉体Ｆ２は、集塵手段７０まで導かれ、この集塵手段７０で集塵された排出粉体Ｆ２は、補給タンク２０内に戻される。この形態によると、排気口５３から排出された排出粉体Ｆ２は集塵手段７０によって集塵され、他方、粉体タンク１００に固定される蓋装置５０にはフィルター等の集塵手段が備えられないため、例えば２０〜３０ｋｇと軽くなる。したがって、本形態の粉体補給設備１０によると、蓋装置５０の備付け、取外し等に重労働が必要にならなくなる。
【００４２】
この形態においては、粉体タンク１００内に収容されている粉体Ｆの量が多くなると、当該粉体Ｆの一部が排気口５３から排気エアＡ２とともに排出されてしまう（この排出された粉体Ｆを排出粉体Ｆ２という。）ため、収容された粉体Ｆが所定の収容量に達したことを知るためのレベルセンサー５９などを備えると好適である。
【００４３】
一方、排出粉体Ｆ２を集塵する集塵手段７０の構造や、集塵手段７０で集塵された排出粉体Ｆ２を補給タンク２０に戻すための構造などは、特に限定されないが、図示例のような構造であると、好ましいものとなる。
すなわち、本形態の集塵手段７０は、排気エアＡ２及び排出粉体Ｆ２を受け入れる、例えば略立方体状、略直方体状、略円筒状等の捕捉容器７１と、この捕捉容器７１内に配置された、例えば円筒状のバグフィルターなどからなるフィルター７２と、を有する。このフィルター７２としては、排気エアＡ２は通し、かつ排出粉体Ｆ２は通さないものが使用される。
【００４４】
フィルター７２を通った（通り抜けた）排気エアＡ２は、捕捉容器７１の天側部に備えられた金属製の管などからなる排気管７３を通して排気される。他方、フィルター７２を通らない排出粉体Ｆ２は、例えば、捕捉容器７１の底部７１ａに堆積するなどして、捕捉容器７１内に留まる。この捕捉容器７１内に留まった排出粉体Ｆ２は、その後、当該捕捉容器７１の、例えば底部７１ａに形成された排出口７４を通して補給タンク２０内に自由落下し、もって補給タンク２０内に戻る。
【００４５】
排出粉体Ｆ２を補給タンク２０内に戻す構造は、特に限定されず、例えば、本形態のように、排出口７４がダンパー等の開閉体８０によって開閉され、加えて、補給タンク２０の天部周壁に形成された開口２０Ｘ側が下方に傾斜する傾斜板８１が排出口７４の下方に設けられた構造とすることができる。本形態の開閉体８０は、ヒンジ８０Ａを軸に機械的に回動し、この回動に応じて排出口７４を開閉する。
【００４６】
本形態によると、排出粉体Ｆ２は、開閉体８０によって排出口７４が閉じられている間は、捕捉容器７１内に留まり、その後、開閉体８０が回動して、当該排出口７４が開かれたときに、排出口７４を通して傾斜板８１上に自由落下する。この自由落下した排出粉体Ｆ２は、傾斜板８１上を補給タンク２０に向かって滑り、補給タンク２０の天部周壁に形成された開口２０Ｘを通して補給タンク２０内に自由落下する。つまり、本形態によると、排出粉体Ｆ２を補給タンク２０内に戻すについて、開閉体８０を作動させるのみで足りる。したがって、排出粉体Ｆ２を補給タンク２０内に戻すにおいて、製造コストの増加を抑えることができる。
【００４７】
この排出粉体Ｆ２を補給タンク２０内に戻す別の構造としては、図３に示すように、捕捉容器７１の底部７１ａに形成された排出口７４が補給タンク２０内に位置しており、この補給タンク２０内には、当該排出口７４を開閉することができるリフトダンパーなどからなる開閉体８０が備えられた形態を例示することができる。この形態の開閉体８０は、例えばコンプレッサー４０からのエア等（以下、単に「押上エア」ともいう。）によって押し上げられると、排出口７４を閉じ（塞ぎ）、他方、当該押上エアによる押し上げが停止されると、図３中に拡大して示すように、排出口７４から離れ、もって排出口７４が開く構成とされている。本形態によると、排出粉体Ｆ２は、開閉体８０によって排出口７４が閉じられている間は捕捉容器７１内に留まり、その後、開閉体８０が排出口７４から離れて当該排出口７４が開かれたときに、排出口７４を通して補給タンク２０内に自由落下する。つまり、本形態によっても、排出粉体Ｆ２を補給タンク２０内に戻すについて、開閉体８０を作動させるのみで足りる。また、特に本形態では、この開閉体８０の作動（駆動）に補給する粉体Ｆ１の搬送などに用いたコンプレッサー４０がそのまま利用されることになる。したがって、本形態によると、排出粉体Ｆ２を補給タンク２０内に戻すにおいて、製造コストの増加を抑えることができるうえに、設置面積が広がるのをも抑えることもできる。
【００４８】
この形態において、押上エアによる押上力をどのように開閉体８０に加えるかは、特に限定されない。例えば、図示例のように、コンプレッサー４０の吹出し口等に接続された押上エアＡ３が通る押上流路３７を備え、この押上流路３７の先端部３７ａを補給タンク２０内に挿入し、当該先端部３７ａの開口を、例えば上下方向に伸縮可能な開閉体８０によって封じた構造とすることができる。この形態によると、開閉体８０を効率的に上下に作動（駆動）させることができる。
【００４９】
ところで、補給タンク２０の投入口２１からフレキシブルコンテナなどに収容された粉体Ｆを投入した場合においては、投入した粉体Ｆが補給タンク２０内のエア中に蔓延し、この蔓延した粉体Ｆが、例えば、フレキシブルコンテナなどを投入口２１から外した際などに粉塵として外部に漏れるおそれがある。この粉塵として外部に漏れた粉体（Ｆ）は、例えば急結剤等である場合、強アルカリ性であるため、汗などをかいた人に付着するとやけどするおそれがあり、また、導電性を有するため、配電盤に付着すると装置がショートして故障するおそれがある。しかしながら、本形態においては、以上で利用したコンプレッサー４０を更に利用して粉体Ｆが粉塵として外部に漏れるのを防止することができる。
【００５０】
具体的には、まず、コンプレッサー４０からのエア（以下、単に「除塵エア」ともいう。）を補給タンク２０内に導く図示しない除塵流路を備える。この除塵流路は、例えばコンプレッサー４０の吹出し口などに接続され、かつ先端部が補給タンク２０内に挿入され、あるいは先端部開口が補給タンク２０の周壁において開口した状態とされる。なお、粉体Ｆの投入量によって、上下方向に関する除塵流路の挿入位置や開口位置を適宜設定することができる。
【００５１】
この形態においては、投入口２１から補給タンク２０内に粉体Ｆを投入するにあたり、開閉体８０を適宜作動させて排出口７４を開くととともに、除塵流路を通して補給タンク２０内に除塵エアを吹き込む。これにより、補給タンク２０内のエアとともにこのエア中の粉体Ｆが、排出口７４を通して捕捉容器７１内に導かれる。捕捉容器７１内に導かれたエアは、フィルター７２を通して排気される。他方、フィルター７２を通らない粉体Ｆは、当該フィルター７２に付着して、捕捉容器７１内に留まり、あるいは傾斜板８１上を滑り落ちて補給タンク２０内に戻る。このようにして、補給タンク２０内のエア中に蔓延する粉体Ｆは除塵されるため、その後、開閉体８０を作動させて排出口７４を閉じ、除塵流路を通した補給タンク２０内への除塵エアの吹き込みを停止することにより、例えばフレキシブルコンテナなどを投入口２１から外した際などに、粉体Ｆが粉塵として外部に漏れるのが防止される。
【００５２】
なお、補給タンク２０に粉体Ｆを投入するに際しては、フレキシブルコンテナなどを投入口２１に密着させ、この部分から周囲に粉体Ｆの粉塵が漏れないようするのが好ましい。また、粉体Ｆを投入するにあたっては、除塵流路を通して補給タンク２０内に除塵エアを吹き込む形態ではなく、例えば補給タンク２０内を負圧に保つ形態を採用することもできる。この補給タンク２０内を負圧に保つ方法としては、例えば、排気管７３の途中に吸引用のブロワ７３Ｘを備え、このブロワ７３Ｘによって捕捉容器７１内及び補給タンク２０内を吸引する方法などが考えられる。
【００５３】
一方、本形態の蓋装置５０は、図１に示すように、先端部開口５１ａが粉体タンク１００内に位置し、かつ軸心の半分以上（長さ基準）が当該粉体タンク１００の軸心と平行となるように配置される搬送流路３０と連なる（連通する）内管５１と、この内管５１と同軸的に配置され、かつ周壁に排気口５３が設けられた外管５２と、を有する。
【００５４】
この蓋装置５０を使用した場合、補給タンク２０内からの粉体Ｆ１が内管５１の先端部開口５１ａから粉体タンク１００内に補給され、同時に搬送エアＡ１も粉体タンク１００内に流入する（吹き込まれる）。また、粉体タンク１００内のエアは、内管５１を通して搬送エアＡ１が流入することにより、外管５２を通して排気口５３から排気される。したがって、粉体タンク１００内においては、主に径方向に広がりつつ、上昇する気流が生じ、また、この上昇気流は、排気口５３が外管５２の周壁に形成されていることにより、スパイラル状になる。よって、粉体タンク１００内に補給された粉体Ｆ１は、スパイラル状に渦を描き、粉体タンク１００の周壁に衝突して自由落下し、粉体タンク１００の底部に堆積することになる。他方、エアは、外管５２を通して排気口５３から排気されることになり、粉体Ｆ１とエアとの分離が効率的に行われる。しかも、この効果を得るについて、粉体タンク１００に複雑な改造等を加える必要がなく、粉体タンク１００に備えられた図示しない既存の蓋材などに換えて、本形態の蓋装置５０をそのまま取り付けるのみで足りるため、設置が極めて容易である。
【００５５】
ここで、内管５１の先端部開口５１ａの位置（粉体タンク１００の上下方向に関する位置）は、かかる気流を効率的に発生させるという観点から適宜設計することができ、特に限定されない。この点、一般には、先端部開口５１ａが、あまり下方に位置すると、内管５１の先端部開口５１ａから吹き出す搬送エアＡ１の影響を受けて、粉体タンク１００の底部に堆積した（収容された）粉体Ｆが舞い上がり、外管５２を通して排気口５３から排出されてしまうおそれがある。しかしながら、本形態においては、搬送エアＡ１は、主に径方向に広がりつつ、上昇することになるため、先端部開口５１ａを、通常よりも下方に位置させることもできる。先端部開口５１ａを下方に位置させると、内管５１から粉体タンク１００内に流入した粉体Ｆ１が、仮に上昇気流に乗ったとしても、上昇距離が長くなり、その分径方向に広がって粉体タンク１００の周壁に衝突し易くなるため、粉体Ｆとエアとの分離がより効率的に行われる。
【００５６】
ただし、搬送エアＡ１の圧力・流量、粉体タンク１００の径・容量等によっては、粉体タンク１００内に補給された粉体Ｆ１が、粉体タンク１００の周壁に衝突する前、つまり搬送エアＡ１と分離される前に、当該搬送エアＡ１とともに自由落下してしまう可能性がある。この場合、粉体タンク１００の底部に堆積した（収容された）粉体Ｆが舞い上がってしまうため、排気口５３から排出される排出粉体Ｆ２の量が多くなり、補給効率が低下する。そこで、かかる場合は、図示例のように、内管５１の先端部を屈曲させ、あるいは他の部材を介在させるなどして、内管５１の先端部開口５１ａが粉体タンク１００の周壁を向くようにするのが好ましい。
【００５７】
また、内管５１の先端部を屈曲させない場合は、粉体タンク１００内において、粉体Ｆの堆積量（収容量）が増えてくると、内管５１の先端部開口５１ａと堆積する粉体Ｆとの距離が近くなり、内管５１から吹き出す搬送エアＡ１によって収容された粉体Ｆの一部が舞い上がる。この舞い上がった粉体Ｆは、排気口５３から排気される排気エアＡ２とともに排出されてしまうため、補給効率が低下する。そこで、本形態のように、レベルセンサー５９を備え、このレベルセンサー５９によって粉体Ｆの堆積量が所定の堆積量に達したと検知された段階で、定量フィーダー２３が停止するようにすると好適である。
【００５８】
なお、粉体Ｆの堆積量の把握は、蓋装置５０を取り外し、粉体タンク１００の補給口１０１から粉体タンク１００内を覗きこむことによっても可能である。そして、本形態では、蓋装置５０が軽量化されており、蓋装置５０の取外し、備付けが容易であるため、かかる作業も容易である。しかしながら、設備コスト等の点から問題がないようであれば、レベルセンサー５９を備える方が好適である。
【００５９】
本形態の粉体補給設備１０においては、搬送エアＡ１の供給にコンプレッサー４０を用いているが、ブロワを用いることもできる。コンプレッサーを用いる場合はメンテナンス容易であるとの利点を、ブロワを用いる場合は粉体Ｆの吸湿防止管理が容易であるとの利点を、それぞれ有する。
【００６０】
また、本形態においては、粉体Ｆの吸湿を排除するために、例えば、搬送流路３０と内管５１との接続部分や、返送流路６０と外管５２や集塵手段７０との接続部分を液密化（液体を通さない状態に）して完全クローズループ化すると好適である。
【００６１】
さらに、本形態の粉体補給設備１０は、１台のトラック等に積載して、粉体タンク１００が設置されている場所までの移動を容易とする運用を考えることができる。
【００６２】
〔粉体補給設備の動作〕
次に、本形態の粉体補給設備１０の動作について、図１を参照しながら説明する。
本形態の粉体補給設備１０を使用して粉体タンク１００内に粉体Ｆを補給するにあたっては、あらかじめ投入口２１から補給タンク２０内に粉体Ｆを投入しておく。この投入に際しては、前述したしたように、コンプレッサー４０からの除塵エアを、除塵流路を通して補給タンク２０内に導きつつ、あるいはブロワ７３Ｘによる吸引を行いつつ、集塵手段７０を利用して補給タンク２０内のエア中に蔓延する粉体Ｆが外部に漏れるのを防止すると好適である。
【００６３】
このような粉体Ｆの投入により、補給タンク２０内に粉体Ｆが収容された状態になっているようであれば、まず、コンプレッサー４０を起動し、又は、粉体タンク１００に併設されているコンプレッサーに接続手段を利用して搬送流路３０を接続し、当該併設されているコンプレッサーを起動する。この際、開閉体８０は、排出口７４を閉じた状態にしておく。
【００６４】
次に、コンプレッサー４０等による送風を開始する。この際、分岐路３５の途中に備えられたバルブＶ１、搬送連通路３６の途中に備えられたバルブＶ２及び管体３１とホース３２との間に介在されたバルブＶ４は開いておき、他方、搬送基路３３とホース３２とを繋ぐ直結路３４の途中に備えられたバルブＶ３及び返送流路６０の途中から分岐し、補給タンク２０の天面２０ａに接続された圧抜き路３８の途中に備えられたバルブＶ５は閉じておく。これにより、搬送エアＡ１が搬送流路３０内を流れ、排気エアＡ２が返送流路６０内を流れ、エアレーション用の圧縮エアが分岐路３５内を流れる。
【００６５】
ここで、バルブＶ１〜Ｖ５の種類は特に限定されず、例えば、電磁バルブを使用することができる。ただし、粉体に強いという点でボールバルブを使用するのが好ましく、本形態では、バルブＶ１〜Ｖ５として、ボールバルブを使用している。
【００６６】
以上に際しては、例えば、撹拌翼２２も作動させて、補給タンク２０内に収容された粉体Ｆの撹拌を開始することもできる。
【００６７】
以上のエアの流通が安定したら、例えば７秒程度経過したら、定量フィーダー２３の作動を開始し、粉体Ｆの定量切出しを行う。この切出しにより、搬送流路３０内に送り込まれた粉体Ｆ１は、搬送エアＡ１によって粉体タンク１００へ搬送され、粉体タンク１００内に補給される。
【００６８】
この補給を適宜の時間行い、又はレベルセンサー５９から満杯検知信号を受けるまで行ったら、バルブＶ１，Ｖ２及びＶ４を閉じるとともに、定量フィーダー２３を停止して、搬送流路３０への粉体Ｆ１の送り込みを停止する。
【００６９】
次いで、バルブＶ３及びＶ５を開き、定量フィーダー２３の停止後、適宜の時間、例えば５秒程度経過したら、コンプレッサー４０による送風も停止する。このように開いているバルブを切り替えるとともに、定量フィーダー２３を停止してから送風を停止するまでの時間差を設けることにより、ホース３２内に粉体Ｆが残存しなくなる。この際には、必要に応じて、送風の開始・停止を繰り返すフラッシングを行えば、より効果的である。また、捕捉容器７１内に備えられたエアパルス手段７５を作動させ、エアの排気側からフィルター７２にパルスエアを送ることで、フィルター７２に吸着（付着）した排出粉体Ｆ２を払い落とすこともできる。これにより、フィルター７２の目詰まりが防止され、捕捉容器７１を開けて頻繁に清掃する必要がなくなる。このエアパルス手段７５の作動は、例えば５〜１０秒間行うことができる。
【００７０】
もちろん、フィルター７２の目詰まり防止は、エアパルスに限定されるものではなく、例えば、フィルター７２にハンマリング手段を設け、このハンマリング手段によりフィルター７２の目詰まりを防止することもできる。エアパルスやハンマリングによる場合は、例えば粉体Ｆの補給作業中、つまりエアが流れている状態でも機能させることができる。
【００７１】
以上が終了したら、開閉体８０を作動させて排出口７４を開く。これにより、捕捉容器７１内に堆積した粉体Ｆが排出口７４を通して自由落下し、傾斜板８１上を滑って、更に補給タンク２０内を自由落下する。
【産業上の利用可能性】
【００７２】
本発明は、急結剤等の粉体を収容する粉体タンクに、粉体を補給する設備として、適用可能である。
【符号の説明】
【００７３】
１０…粉体補給設備、２０…補給タンク、２１…投入口、２２…撹拌翼、２３…定量フィーダー、３０…搬送流路、４０…コンプレッサー、５０…蓋装置、５１…内管、５２…外管、５３…排気口、６０…返送流路、７０…集塵手段、７１…捕捉容器、７２…フィルター、７４…排出口、８０…開閉体、１００…粉体タンク、１０１…補給口、Ａ１，Ａ２，Ａ３…エア、Ｆ，Ｆ１，Ｆ２…粉体、Ｖ１〜Ｖ５…バルブ。
【図１】
2010174496.tif 000003
【図２】
2010174496.tif 000004
【図３】
2010174496.tif 000005